(57)【要約】【課題】会員登録作業を簡略化し、遊技店および遊技者側双方の負担を大幅に軽減することを可能とする。【解決手段】会員登録機３１は、店員或いは遊技者により挿入された第三者が発行したクレジットカード等の第三者カードのカード情報を読取り、該読取った第三者カード情報を会員管理端末機２１に転送する。そして、会員管理端末機２１は、転送されてきた第三者カード情報を受け取り、該受け取った第三者カード情報を含む会員情報が既に登録されているか否かの登録の有無を判定し、未登録である場合に当該読取った第三者カード情報を含む会員情報を作成して登録管理すると共に、登録完了後に、会員登録機３１に会員カードＩＤを送信する。そして、会員登録機３１は、受信した会員カードＩＤを現在挿入されている第三者カードに記録してから遊技者等に該会員登録済みの第三者カードを返却する。【選択図】  図１
2004248969.tif 000002
【特許請求の範囲】
【請求項１】
第三者が発行管理する第三者カードに記録されている第三者カード情報を読み取るカード情報読取手段と、
遊技店の会員カードの会員情報を管理する会員管理手段と、
前記カード情報読取手段で読み取った前記第三者カード情報が前記会員管理手段にて管理される会員カードの会員情報として登録されているか否かを判定する判定手段と、
前記判定手段による判定により当該第三者カードに対応付けて前記会員管理手段にて管理される会員カードの会員情報が登録されていないと判定された場合は、前記読み取った第三者カード情報を前記会員管理手段に登録する登録手段と
を具備することを特徴とする会員カード発行システム。
【請求項２】
前記判定手段は、
前記読み取った第三者カード情報に会員カードの識別情報が無い場合に当該第三者カードが前記会員管理手段にて管理される会員カードの会員情報として登録されていないと判定し、
前記登録手段は、
所定の条件に基づき会員カードの識別情報を設定し、前記第三者カード情報に含まれる当該第三者カードの登録者を特定する氏名及び住所等の保有者情報を会員カードの登録者情報とし、前記設定した会員カード識別情報と共に会員情報として前記会員管理手段に登録し、
前記カード情報読取手段で前記第三者カード情報を読み取った第三者カードに前記登録した会員カード識別情報を記録する記録手段を更に具備することを特徴とする請求項１記載の会員カード発行システム。
【請求項３】
前記判定手段は、
前記読み取った第三者カード情報に含まれる第三者カードの識別情報が会員情報として前記会員管理手段に登録されていない場合に、当該第三者カードに対応付けて前記会員管理手段にて管理される会員カードの会員情報が登録されていないと判定し、
前記登録手段は、
所定の条件に基づき会員カードの識別情報を設定し、前記第三者カード情報に含まれる当該第三者カードの登録者を特定する氏名及び住所等の保有者情報を会員カードの登録者情報とし、前記設定した会員カード識別情報と前記第三者カード情報に含まれる当該第三者カードの識別情報と共に会員情報として前記会員管理手段に登録することを特徴とする請求項１記載の会員カード発行システム。
【請求項４】
第三者が発行管理する第三者カードに記録されている第三者カード情報を読み取るカード情報読取手段と、
遊技店の会員カードの会員情報を管理する会員管理手段と、
前記第三者カードを管理する第三者カード管理手段と、
前記カード情報読取手段で読み取った前記第三者カード情報が前記会員管理手段にて管理される会員カードの会員情報として登録されているか否かを判定する判定手段と、
前記判定手段による判定により当該第三者カードに対応付けて前記会員管理手段にて管理される会員カードの会員情報が登録されていないと判定された場合は、前記読み取った第三者カード情報を前記第三者カード管理手段に送信し、前記第三者カード情報に基づいて前記第三者カード管理手段で特定された第三者カードの管理情報を受信する通信手段と、
前記通信手段により受信した第三者カードの管理情報に基づき当該第三者カードに対応付けて前記会員管理手段にて管理される会員情報を登録する登録手段と
を具備することを特徴とする会員カード発行システム。
【請求項５】
前記判定手段は、
前記読み取った第三者カード情報に会員カードの識別情報が無い場合に当該第三者カードが前記会員管理手段にて管理される会員カードの会員情報として登録されていないと判定し、
前記通信手段は、
前記読み取った第三者カード情報に含まれる第三者カードの識別情報を前記第三者カード管理手段に送信し、
前記登録手段は、
所定の条件に基づき会員カードの識別情報を設定し、前記第三者カード識別情報に基づき前記第三者カード管理手段で特定された当該第三者カードの登録者を特定する氏名及び住所等の保有者情報を会員カードの登録者情報とし、前記設定した会員カード識別情報と共に会員情報として前記会員管理手段に登録し、
前記カード情報読取手段で前記第三者カード情報を読み取った第三者カードに前記登録した会員カード識別情報を記録する記録手段を更に具備することを特徴とする請求項４記載の会員カード発行システム。
【請求項６】
前記判定手段は、
前記読み取った第三者カード情報に含まれる第三者カードの識別情報が会員情報として前記会員管理手段に登録されていない場合に、当該第三者カードに対応付けて前記会員管理手段にて管理される会員カードの会員情報が登録されていないと判定し、
前記通信手段は、
前記読み取った第三者カード情報に含まれる第三者カードの識別情報を前記第三者カード管理手段に送信し、
前記登録手段は、
所定の条件に基づき会員カードの識別情報を設定し、前記第三者カード識別情報に基づき前記第三者カード管理手段で特定された当該第三者カードの登録者を特定する氏名及び住所等の保有者情報を会員カードの登録者情報とし、前記設定した会員カード識別情報と前記第三者カード情報に含まれる当該第三者カードの識別情報と共に会員情報として前記会員管理手段に登録することを特徴とする請求項４記載の会員カード発行システム。
【請求項７】
暗証番号を入力する暗証番号入力手段
を更に具備し、
前記登録手段は、
前記暗証番号入力手段で入力された暗証番号を会員情報として前記会員管理手段に登録する
ことを特徴とする請求項１または４記載の会員カード発行システム。
【請求項８】
第三者が発行管理する第三者カードを用いた遊技店の会員の登録に際して、該第三者カードに記録されている第三者カード情報をカード読取手段により読み取り、
該読み取った前記第三者カード情報に基づいて当該第三者カードに対応付けて会員管理手段にて管理される会員カードの会員情報が登録されているか否かを判定し、
該判定により当該第三者カードに対応付けて前記会員管理手段にて管理される会員カードの会員情報が登録されていないと判定された場合は、前記読み取った第三者カード情報に基づき当該第三者カードに対応付けて前記会員管理手段にて管理される会員情報を登録する
ことを特徴とする会員カード発行方法。
【請求項９】
第三者が発行管理する第三者カードを用いた遊技店の会員の登録に際して、該第三者カードに記録されている第三者カード情報をカード読取手段により読み取り、
該読み取った前記第三者カード情報に基づいて当該第三者カードに対応付けて会員管理手段にて管理される会員カードの会員情報が登録されているか否かを判定し、
該判定により前記第三者カードに対応付けて会員管理手段にて管理される会員カードの会員情報が登録されていないと判定された場合は、前記読み取った第三者カード情報を前記第三者カードを管理する第三者カード管理手段に送信し、
該送信後、前記第三者カード情報に基づいて前記第三者カード管理手段で特定された第三者カードの管理情報を受信し、
前記受信した第三者カードの管理情報に基づき当該第三者カードに対応付けて前記会員管理手段にて管理される会員情報を登録する
ことを特徴とする会員カード発行方法。
【発明の詳細な説明】
【０００１】
【発明の属する技術分野】
本発明は、パチンコ店やパチスロ店等の遊技店におけるシステムに関し、特に、会員登録作業を簡略化し、遊技店および遊技者側双方の負担を大幅に軽減することを可能にした会員カード発行システムおよび会員カード発行方法に関するものである。
【０００２】
【従来の技術】
最近のパチンコ店等の遊技店においては、会員登録管理システムを導入しているのが一般的である。例えば、遊技システムにおける貯玉管理装置（特許文献１参照）なるものが知られている。
【０００３】
この従来の会員登録管理システムにおける会員登録処理手順の概要について以下に述べる。
【０００４】
（１）会員が申込み用紙を記入する。（２）申込み用紙を従業員に渡す。（３）従業員はあらかじめ会員番号がエンコードされているカードを会員登録機に挿入する。（４）会員カードに記載されている会員番号を申込書に転記する。（５）会員登録機は会員番号を読取る。（６）会員登録機に暗証番号を入力する。（７）会員番号、暗証番号をＴＣに送信する。（８）ＴＣは会員番号、暗証番号を登録する。（９）登録済みカードを遊技客に渡す（この時点で会員カードとしては使用可能）。（１０）会員番号をキーに申込み用紙記載の属性情報（住所氏名等）をＴＣに入力する。
【０００５】
ところが、この従来の会員登録処理手順では、以下のような不都合がある。
【０００６】
（ア）会員が必ず申込み用紙を記入する必要があるため面倒である（住所氏名等の記載）。（イ）必ずカウンターへ行く必要があり面倒である。（ウ）カウンタでは会員申込みの遊技客と景品交換の遊技客が混在し、サービスの低下になる。また、混雑を避けるためカウンタを分けると人件費がかかってしまう。（エ）会員番号を申込書に転記する際記入ミスが発生する可能性がある（記入ミスがあると（１０）の作業の妨げになる）。（オ）（１０）の作業を行うためには人件費等の費用がかかる。（カ）会員カード自体を用意するコストがかかる。
【０００７】
【特許文献１】
特開平７−５１４５８号公報。
【０００８】
【発明が解決しようとする課題】
上述の如く、従来の会員登録管理システムにあっては、会員登録を行う作業が大変面倒であり、それにより遊技店側および遊技者側の双方に大変負担が掛かるものとなっている。
【０００９】
そこで、本発明は上記実情を鑑み、会員登録作業を簡略化し、遊技店および遊技者側双方の負担を大幅に軽減することが可能な会員カード発行システムおよび会員カード発行方法の提供を目的とするものである。
【００１０】
【課題を解決するための手段】
上記目的を達成する為に、請求項１の発明は、第三者が発行管理する第三者カードに記録されている第三者カード情報を読み取るカード情報読取手段と、遊技店の会員カードの会員情報を管理する会員管理手段と、前記カード情報読取手段で読み取った前記第三者カード情報が前記会員管理手段にて管理される会員カードの会員情報として登録されているか否かを判定する判定手段と、前記判定手段による判定により当該第三者カードに対応付けて前記会員管理手段にて管理される会員カードの会員情報が登録されていないと判定された場合は、前記読み取った第三者カード情報に基づき当該第三者カードに対応付けて前記会員管理手段にて管理される会員情報を登録する登録手段とを具備することを特徴とする。
【００１１】
また、請求項２の発明は、請求項１の発明において、前記判定手段は、前記読み取った第三者カード情報に会員カードの識別情報が無い場合に当該第三者カードが前記会員管理手段にて管理される会員カードの会員情報として登録されていないと判定し、前記登録手段は、所定の条件に基づき会員カードの識別情報を設定し、前記第三者カード情報に含まれる当該第三者カードの登録者を特定する氏名及び住所等の保有者情報を会員カードの登録者情報とし、前記設定した会員カード識別情報と共に会員情報として前記会員管理手段に登録し、前記カード情報読取手段で前記第三者カード情報を読み取った第三者カードに前記登録した会員カード識別情報を記録する記録手段を更に具備することを特徴とする。
【００１２】
また、請求項３の発明は、請求項１の発明において、前記判定手段は、前記読み取った第三者カード情報に含まれる第三者カードの識別情報が会員情報として前記会員管理手段に登録されていない場合に、当該第三者カードに対応付けて前記会員管理手段にて管理される会員カードの会員情報が登録されていないと判定し、前記登録手段は、所定の条件に基づき会員カードの識別情報を設定し、前記第三者カード情報に含まれる当該第三者カードの登録者を特定する氏名及び住所等の保有者情報を会員カードの登録者情報とし、前記設定した会員カード識別情報と前記第三者カード情報に含まれる当該第三者カードの識別情報と共に会員情報として前記会員管理手段に登録することを特徴とする。
【００１３】
また、請求項４の発明は、第三者が発行管理する第三者カードに記録されている第三者カード情報を読み取るカード情報読取手段と、遊技店の会員カードの会員情報を管理する会員管理手段と、前記第三者カードを登録管理する第三者カード管理手段と、前記カード情報読取手段で読み取った前記第三者カード情報が前記会員管理手段にて管理される会員カードの会員情報として登録されているか否かを判定する判定手段と、前記判定手段による判定により当該第三者カードに対応付けて前記会員管理手段にて管理される会員カードの会員情報が登録されていないと判定された場合は、前記読み取った第三者カード情報を前記第三者カード管理手段に送信し、前記第三者カード情報に基づいて前記第三者カード管理手段で特定された第三者カードの管理情報を受信する通信手段と、前記通信手段により受信した第三者カードの管理情報に基づき当該第三者カードに対応付けて前記会員管理手段にて管理される会員情報を登録する登録手段とを具備することを特徴とする。
【００１４】
また、請求項５の発明は、請求項４の発明において、前記判定手段は、前記読み取った第三者カード情報に会員カードの識別情報が無い場合に当該第三者カードが前記会員管理手段にて管理される会員カードの会員情報として登録されていないと判定し、前記通信手段は、前記読み取った第三者カード情報に含まれる第三者カードの識別情報を前記第三者カード管理手段に送信し、前記登録手段は、所定の条件に基づき会員カードの識別情報を設定し、前記第三者カード識別情報に基づき前記第三者カード管理手段で特定された当該第三者カードの登録者を特定する氏名及び住所等の保有者情報を会員カードの登録者情報とし、前記設定した会員カード識別情報と共に会員情報として前記会員管理手段に登録し、前記カード情報読取手段で前記第三者カード情報を読み取った第三者カードに前記登録した会員カード識別情報を記録する記録手段を更に具備することを特徴とする。
【００１５】
また、請求項６の発明は、請求項４の発明において、前記判定手段は、前記読み取った第三者カード情報に含まれる第三者カードの識別情報が会員情報として前記会員管理手段に登録されていない場合に、当該第三者カードに対応付けて前記会員管理手段にて管理される会員カードの会員情報が登録されていないと判定し、前記通信手段は、前記読み取った第三者カード情報に含まれる第三者カードの識別情報を前記第三者カード管理手段に送信し、前記登録手段は、所定の条件に基づき会員カードの識別情報を設定し、前記第三者カード識別情報に基づき前記第三者カード管理手段で特定された当該第三者カードの登録者を特定する氏名及び住所等の保有者情報を会員カードの登録者情報とし、前記設定した会員カード識別情報と前記第三者カード情報に含まれる当該第三者カードの識別情報と共に会員情報として前記会員管理手段に登録することを特徴とする。
【００１６】
また、請求項７の発明は、請求項１または４の発明において、暗証番号を入力する暗証番号入力手段を更に具備し、前記登録手段は、前記暗証番号入力手段で入力された暗証番号を会員情報として前記会員管理手段に登録することを特徴とする。
【００１７】
また、請求項８の発明は、第三者が発行管理する第三者カードを用いた遊技店の会員の登録に際して、該第三者カードに記録されている第三者カード情報をカード読取手段により読み取り、該読み取った前記第三者カード情報に基づいて当該第三者カードに対応付けて会員管理手段にて管理される会員カードの会員情報が登録されているか否かを判定し、該判定により当該第三者カードに対応付けて前記会員管理手段にて管理される会員カードの会員情報が登録されていないと判定された場合は、前記読み取った第三者カード情報に基づき当該第三者カードに対応付けて前記会員管理手段にて管理される会員情報を登録することを特徴とする。
【００１８】
また、請求項９の発明は、第三者が発行管理する第三者カードを用いた遊技店の会員の登録に際して、該第三者カードに記録されている第三者カード情報をカード読取手段により読み取り、該読み取った前記第三者カード情報に基づいて当該第三者カードに対応付けて会員管理手段にて管理される会員カードの会員情報が登録されているか否かを判定し、該判定により前記第三者カードに対応付けて会員管理手段にて管理される会員カードの会員情報が登録されていないと判定された場合は、前記読み取った第三者カード情報を前記第三者カードを管理する第三者カード管理手段に送信し、該送信後、前記第三者カード情報に基づいて前記第三者カード管理手段で特定された第三者カードの管理情報を受信し、前記受信した第三者カードの管理情報に基づき当該第三者カードに対応付けて前記会員管理手段にて管理される会員情報を登録することを特徴とする。
【００１９】
【発明の実施の形態】
最初に、本発明の概要について説明する。即ち、本発明は、パチンコ店或いはパチスロ店等の遊技店で提供している会員サービスを遊技者が受ける為に必要な会員登録作業を大幅に簡略化して、遊技店および遊技者側双方の負担を大幅に軽減することを目的とするものである。
【００２０】
そこで、本発明では、会員登録作業を簡略化すべく、上記遊技店の会員サービスを受ける為の会員カードとは関係無く別に、第三者が発行した他のサービスを受ける為に必要な第三者カードを後述の会員登録機で読み取り処理し、後述の会員管理端末機にて該第三者カードを会員カードとして利用可能に自動的に登録処理するものである。
【００２１】
以下の実施例では、第三者カードとして遊技ホールの会員カードと関係なしに、一般的に普及されているクレジットカードシステムで用いられるクレジットカードを例にして説明する。
【００２２】
以下、本発明の会員カード発行システムおよび会員カード発行方法を遊技店のシステムに適用した場合の実施の形態を添付図面を参照して詳細に説明する。
【００２３】
尚、本実施例では、（１）カード毎に固有に割り当てられたカード識別情報となる第三者カードＩＤと、該第三者カードの登録発行者の氏名及び住所等の保有者情報とが記録されている第三者の発行した第三者カード（Ａ）（後述の図４参照）を利用した場合と、（２）上記保有者情報は記録されず、上記第三者カードＩＤのみが記録されている第三者カード（Ｂ）（後述の図１０参照）と、上記保有者情報を登録管理する第三者カード管理センターとを利用した場合の本発明の会員カード発行システムおよび会員カード発行方法の実施の形態について説明する。
【００２４】
まず、上述の（１）の実施の形態について述べる。
【００２５】
図１は、上記（１）で述べた本発明に係る会員カード発行システムおよび会員カード発行方法を適用した遊技店Ａのシステム構成を示す図である。
【００２６】
図１において、遊技店は、大きくは遊技場１、事務所（オフィス）２、景品交換所３から成る。
【００２７】
ここで、遊技場１は、遊技者がパチンコやスロット等の遊技を行う場である。そして、この遊技場１には、複数の島１０ａ〜１０ｎ（ｎ：正の整数）、及び計数機１１、プリペイドカード発行機１２が設置される。尚、この図１の例では、遊技対象としてパチンコの場合を例に示している。
【００２８】
各島１０ａ〜１０ｎ（ｎ：正の整数）は、複数の遊技ユニット１００と島コントローラ１１０を具える。各遊技ユニット１００は、パチンコ台等の遊技機１０１と、パチンコ玉を貸し出す台間玉貸処理機１０２と、該遊技機にて当たりが出た場合などに演出効果としてランプの点滅或いは点灯を行う台ランプ部１０３とから構成される。遊技者は、これら遊技ユニット１００のうち所望のユニットを１つ選んで遊技を行う。また、島コントローラ１１０は、例えば、ＬＡＮ（ローカルエリアネットワーク）等を介して自島の各遊技ユニット１００の遊技データ等を後述の事務所（オフィス）２に設置される管理コンピュータ（ターミナルコントローラ）２０に転送したり、その管理コンピュータ２０からの各種データを各遊技ユニット１００に転送制御する。
【００２９】
計数機１１は、遊技者が上記遊技ユニット１００で遊技して獲得した遊技媒体の総数を計数し、計数結果をバーコード等により記録したレシート等を発行する。
【００３０】
プリペイドカード発行機１２は、遊技者が上述の台間玉貸出処理機１０２にてパチンコ玉やメダル等の遊技媒体を貸し出してもらう場合に用いるプリペイドカードの販売発行を行う。
【００３１】
尚、この実施例においては、上述の台間玉貸処理機１０２は、再プレイ機能を有している。即ち、遊技者の所持する会員カードのカード情報を読み取り、後述の会員管理端末機２１との間で通信を行うことにより、該会員カードに対応付けて記録している貯玉情報に基づき遊技者の指示に応じて貯玉数内でパチンコ玉の引き出し処理を制御する。
【００３２】
また、事務所（オフィス）２は、遊技店内の監視及び管理を行う場である。そして、この事務所２には、管理コンピュータ２０及び会員管理端末機２１が設置される。管理コンピュータ２０は、上述の島コントローラ１１０及びＬＡＮ等を介して各島に設置される遊技ユニット１００の遊技データや、上記計数機１１からの各種データを受け取り、各種データベースを構築すると共に、上記遊技ユニット１００の遊技状態を管理する。また、会員管理端末機２１は、上述の島コントローラ１１０及びＬＡＮ等を介して各島に設置される遊技ユニット１００の台間玉貸処理機との間で会員カードＩＤ等の会員情報及び引き出し玉数等の再プレイ情報の送受信を行うと共に、後述の会員登録機３１との間で会員登録手続きに関する各種情報等の送受信を行う。
【００３３】
また、景品交換所３は、種々の景品交換を行う場所である。そして、この景品交換所３には、景品管理端末３０及び会員登録機（図３に外観概略構成を示す。）３１等が設置される。この景品管理端末３０は、遊技者が持ち込んだ上記レシートに記録された計数値を読み取るハンドスキャナ等を備え、このハンドスキャナで読み取った計数値に応じて該遊技者が希望する景品に交換した場合に、交換した景品の情報を管理する端末である。また、会員登録機３１は、遊技者が会員サービスを受けるのに必要な会員カードを発行する際の会員登録手続きを行う端末（図３参照）であり、カード挿入口から挿入された会員カード等のカード情報を読み取ったり、該挿入されたカードにカード情報を書き込む図示しないカードリーダライタを内部に具えている。そして、この実施例では、通常の会員カードの会員登録手続きを行う機能と、クレジットカード等の第三者カードのカード情報を読み取ってこの第三者カードに会員カード機能を付加する会員登録手続きを行う機能の両方を具えたものを想定している。尚、両方の機能を具えず、それぞれ別々の会員登録機を設置するようにしても良い。
【００３４】
尚、上記実施例では、遊技場１に設置される遊技機としてパチンコ台のみを示しているが、本発明はこれに限らず、スロット台を導入したシステムにも適用可能である。
【００３５】
次に、上記図１に示す遊技店Ａのシステム構成における具体的な本発明の会員登録の処理の仕組みについて説明する。
【００３６】
図２は、図１に示した遊技店Ａのシステム構成における会員登録処理手順を示すフローチャートであり、この場合、会員登録機３１と会員管理端末機２１との間で会員登録処理が行われる。特に、この実施例では、第三者カードに記録されている第三者カード情報に含まれる保有者情報に基づいて会員登録者を特定して会員情報を登録する場合であり、会員管理端末機２１側で会員情報として第三者カードＩＤを登録管理すると共に、会員管理端末機２１側で設定登録された会員カードＩＤを会員登録機３１側で第三者カードに記録する場合を示している。
【００３７】
図２に示すように、まず、遊技店Ａの店員若しくは遊技者が図３に示した会員登録機３１のカード挿入口３１−３からクレジットカード等の第三者カード（Ａ）を挿入する（Ｓ１０１）。すると、会員登録機３１が、挿入されたクレジットカード等の第三者カード（Ａ）のカード情報（図４参照）を読み取る（Ｓ１０２）。具体的には、例えば、図４に示すカードＩＤ：「１０００１」と氏名：「遊技  ○男」と住所：「東京都中央区ＢＢＢ」等の情報を読み取る。尚、この図４の例は、未だ会員登録されていない状態の第三者カード（Ａ）の情報記憶構成を示している。この会員未登録の第三者カード（Ａ）は、ＩＣチップを有し、このＩＣチップにカードＩＤ，氏名，住所等の情報を記憶している。その後、会員登録機３１は、その読み取ったカード情報を会員管理端末機２１に送信し（Ｓ１０３）、現在挿入されている第三者カード（Ａ）が会員カードとして登録されているか否かを問い合わせる。尚、このフローの登録処理を採るシステムでは、上記Ｓ１０３において、既に会員登録が完了している第三者カードが挿入された場合には、会員カードＩＤが含まれた第三者カード情報が会員管理端末機２１に送信され、また、他方、未だ会員登録がされていない第三者カードが挿入された場合には、会員カードＩＤが含まれていない第三者カード情報が会員管理端末機２１に送信されることになる。
【００３８】
これに対し、会員管理端末機２１は、会員登録機３１から送信されてきたカード情報を受信すると（Ｓ１０４）、この受信したカード情報に基づき当該第三者カードが会員カードとして登録されているか否かを判定する（Ｓ１０５）。具体的には、上記Ｓ１０１で読み取ったカード情報に会員カードＩＤが含まれて有る場合に、当該第三者カード（Ａ）が会員カードとして既に登録されていると判定し、他方、該読み取ったカード情報に会員カードＩＤが含まれてい無い場合に、当該第三者カード（Ａ）が会員カードとして未だ登録されていないと判定する。そして、会員管理端末機２１は、その判定の結果を会員登録機３１に送信する（Ｓ１０６）。
【００３９】
すると、会員登録機３１では、判定の結果、登録済みであれば（Ｓ１０７ＹＥＳ）、その旨を会員登録機３１の表示部３１−１（図３参照）に表示し、現在挿入されている第三者カード（Ａ）を返却する（Ｓ１１６）。他方、判定の結果、未登録である場合（Ｓ１０７ＮＯ）、会員登録機３１の表示部３１−１に、暗証番号（尚、この暗証番号は、例えば、他の人に貯玉や貯メダルの引き出しをされないように保護する為のものである。）の入力を促す旨の表示を行う。そして、この促しに対し遊技者により暗証番号［例えば、「ＡＡＡＡ」（図５参照）］が入力されると（Ｓ１０８）、その暗証番号情報を会員管理端末機２１に送信する（Ｓ１０９）。
【００４０】
会員管理端末機２１は、送信されてきた暗証番号情報を受信すると（Ｓ１１０）、所定のルールに従って会員カードＩＤを算出して設定する（Ｓ１１１）。具体的には、例えば、受信した第三者カードＩＤの識別番号に定まった所定の数を加減算して会員カードＩＤを算出するか、或いはその第三者カードＩＤの識別番号をそのまま全て含んだ会員カードＩＤを算出する。そして、会員管理端末機２１は、この設定した会員カードＩＤに対応付けて会員登録機３１から送信されてきた第三者カード情報（第三者カードＩＤ、氏名情報、住所情報）及び暗証番号を含む会員情報を作成して登録する（Ｓ１１２）。例えば、具体的に会員登録機３１から送られてきた第三者カードＩＤから会員カードＩＤ「９０００１」を算出すると、この会員カードＩＤ「９０００１」に対応付けて会員登録機３１から送られてきた第三者カード情報［第三者カードＩＤ：「１０００１」、氏名：「遊技○男」、住所：「東京都中央区ＢＢＢ」］及び暗証番号：「ＡＡＡＡ」を会員情報として登録する。尚、ここで、そのように登録される会員情報の一構成例を図５に示しておく。この図５に示すように、会員情報には、上述した第三者カード情報及び会員カードＩＤ以外に、遊技ホール会員ならではの情報項目（貯玉数、貯メダル数、投資額、サービスポイント等の項目）が追加されている。その後、会員管理端末機２１は、その設定登録した会員カードＩＤ（例えば、「９０００１」）と共に会員登録完了通知を会員登録機３１に送信する（Ｓ１１３）。
【００４１】
これに対し、会員登録機３１は、会員登録完了通知と共に会員カードＩＤを受信すると（Ｓ１１４）、受信した会員カードＩＤを現在挿入されている第三者カード（Ａ）に記録する（Ｓ１１５）。そして記録した後、会員登録機３１は、会員登録済みの第三者カード（Ａ）を返却する（Ｓ１１６）。即ち、第三者カード兼用の会員カードが発行される。尚、返却された第三者カード（Ａ’）の構成を図６に示す。この図６に示すように、この図２の登録処理を採るシステムで返却された第三者カード（Ａ’）には、上述の図４に示した第三者カード（Ａ）の記録した第三者カード情報に会員カードＩＤの情報が追加されることになる。
【００４２】
これ以降、遊技者は、第三者カード（Ａ）をクレジットカード等の第三者カード機能として利用する以外に、遊技店Ａの会員登録管理システムで用いられる会員カードとして利用することが可能となる。即ち、具体的には、上述の図１に示した台間玉貸処理機１０２に会員登録済みの第三者カードを挿入し、貯玉や貯玉再プレイや各種会員特典サービス等の利用が行える。
【００４３】
尚、上記図２の実施例では、第三者カードが会員カードとして登録されているか否かの判定を会員管理端末機２１で行うように示しているが、これに限らず、会員登録機３１で行うようにしても良い。ただし、判定のみは会員登録機３１で行うが、会員情報の登録については上述の図２と同様に、会員管理端末機２１で行うものとする。
【００４４】
また、上記図２の実施例では、会員登録機３１にセットされた第三者カードが会員カードとして登録されているか否かを判定する方法として、セットされた第三者カードに遊技店の会員サービスで用いられる会員カードＩＤが登録されているか否かで登録の有無を判定する場合について説明したが、以下、その他の登録判定方法について図７を用いて説明する。
【００４５】
図７は、図２に示した登録処理の変形例として、第三者カードに会員カードＩＤを記録せずに、会員管理端末機２１で第三者カードＩＤが会員情報として登録されているか否かによって当該第三者カードが会員カードとして登録されているか否かを判定する場合の会員登録処理構成を採ったシステムにおける会員登録処理手順を示すフローチャートである。
【００４６】
尚、以下の説明では、上述の図２に示した登録処理と異なる点についてのみ説明するものとする。また、この場合に用いられる第三者カードは上述の図４と同じ構成であり、上述の図２の実施例では会員未登録時の構成と述べていたが、この図７の実施例では、会員登録の有無にかかわらず図４の構成をとる。
【００４７】
図７において、このフローの登録処理を採るシステムでは、Ｓ１０３’において、既に会員登録が完了している第三者カード或いは未だ会員登録がされていない第三者カードのいずれの場合であっても第三者カード情報として同じ情報即ち第三者カードＩＤおよび氏名及び住所等の保有者情報が会員管理端末機２１に送信される。
【００４８】
そして、会員管理端末機２１では、会員登録機３１から送信されてきたカード情報を受信すると（Ｓ１０４’）、該受信したカード情報に基づいて当該第三者カードが会員カードとして登録されているか否かを判定するが（Ｓ１０４’）、この図７の処理では、上記受信したカード情報に含まれる第三者カードＩＤが会員情報として登録されている場合に、当該第三者カード（Ａ）が会員カードとして既に登録されていると判定し、他方、該読み取ったカード情報に含まれる第三者カードＩＤが会員情報として登録されていない場合に、当該第三者カード（Ａ）が会員カードとして未だ登録されていないと判定する。
【００４９】
また、この図７の処理では、Ｓ１１２’で上述の図２で示したＳ１１２と同様に会員情報を登録した後、会員カードＩＤを添付する事無く、会員登録完了通知のみを会員登録機３１に送信する（Ｓ１１３’）。
【００５０】
これに対し、会員登録機３１では、会員登録完了通知を受信すると（Ｓ１１４’）、上述の図２で示したＳ１１５の会員カードＩＤを第三者カードに記録する処理を行う事無く、そのまま現在挿入している第三者カード（Ａ）の返却を行う（Ｓ１１５’）。即ち、第三者カード兼用の会員カードが発行される。尚、この登録処理を採用するシステムでは、返却された第三者カードの構成は、情報の追加記録がされない為上述の図４に示したものと同一の構成となる。
【００５１】
これ以降、遊技者は、第三者カード（Ａ）をクレジットカード機能として利用する以外に、遊技店Ａの会員登録管理システムで用いられる会員カードとして利用することが可能となる。即ち、具体的には、上述の図１に示した台間玉貸処理機１０２に会員登録済みの第三者カードを挿入し、貯玉や貯玉再プレイや各種会員特典サービス等の利用が行える。
【００５２】
次に、上述の（２）保有者情報は記録されず、第三者カードＩＤのみが記録されている第三者カード（Ｂ）と、保有者情報を登録管理する第三者カード管理センターとを利用した場合の本発明の会員カード発行システムおよび会員カード発行方法の実施の形態について説明する。
【００５３】
図８は、上記（２）で述べた本発明に係る会員カード発行システムおよび会員カード発行方法を適用した遊技店Ａのシステム構成を示す図である。尚、この場合、上記図１に示したシステム構成と異なる点は、会員管理端末機２１が第三者カード管理センターＢから保有者情報を取得する為の通信を行う外部通信機能２１０を具える点である。即ち、会員管理端末機２１は、その外部通信機能２１０を用い、公衆或いは専用線等の通信回線網Ｃを介して第三者カード管理センターＢとの間で保有者情報を取得する為の各種データの送受信を行う。尚、その他の構成については図１に述べたものと同様であるのでここでの説明は省略する。
【００５４】
次に、上記図８に示す遊技店Ａのシステム構成における具体的な本発明の会員登録の処理の仕組みについて説明する。
【００５５】
尚、本実施例では、（２）の場合として、リアル処理する場合とバッチ処理する場合とがある。最初に（ア）リアル処理する場合から述べる。尚、ここで言う、（ア）リアル処理とは、ある遊技者の１回の会員登録を行う都度、会員管理端末機２１が第三者カード管理センターＢに対して第三者カードＩＤを送信し、それに対応して保有者情報を該第三者カード管理センターＢから受け取って会員情報を作成して登録する場合である。
【００５６】
図９は、（ア）リアル処理による会員登録処理手順を示すフローチャートであり、この場合、会員登録機３１と、会員管理端末機２１と、第三者カード管理センターＢとの間で会員登録処理が行われる。特に、この場合、第三者カード管理センターに登録管理されている第三者カードの保有者情報に基づいて会員登録者を特定して会員情報を登録する場合であり、会員管理端末機２１側で会員情報として第三者カードＩＤを登録管理すると共に、会員管理端末機２１側で設定登録された会員カードＩＤを会員登録機３１側で第三者カードに記録するものである。
【００５７】
図９に示すように、まず、遊技店Ａの店員若しくは遊技者が図３に示した会員登録機３１のカード挿入口３１−３からクレジットカード等の第三者カード（Ｂ）を挿入する（Ｓ２０１）。すると、会員登録機３１が、挿入された第三者カードのカード情報（図１０参照）を読み取る（Ｓ２０２）。具体的には、例えば、図１０に示すカードＩＤ：「１０００１」の情報を読み取る。尚、この図１０の例では、未だ会員登録されていない場合の情報記録状態を示している。そして、この第三者カード（Ｂ）は、ＩＣチップを有し、このＩＣチップにカードＩＤの情報を記憶している。その後、会員登録機３１は、その読み取ったカード情報を会員管理端末機２１に送信し（Ｓ２０３）、該第三者カード（Ｂ）が会員カードとして登録されているか否かを問い合わせる。尚、このフローの登録処理を採るシステムでは、上記Ｓ２０３において、既に会員登録が完了している第三者カードが挿入されれば、会員カードＩＤが含まれた第三者カード情報が会員管理端末機２１に送信され、また、他方、未だ会員登録がされていない第三者カードが挿入されれば、会員カードＩＤが含まれていない第三者カード情報が会員管理端末機２１に送信されることになる。
【００５８】
これに対し、会員管理端末機２１は、会員登録機３１から送信されてきたカード情報を受信すると（Ｓ２０４）、この受信したカード情報に基づき当該第三者カードが会員カードとして登録されているか否かを判定する（Ｓ２０５）。具体的には、上記受信したカード情報に会員カードＩＤが含まれて有る場合に、当該第三者カードが会員カードとして登録されていると判定し、他方、受信したカード情報に会員カードＩＤが含まれてい無い場合に、当該第三者カードが会員カードとして登録されていないと判定する。そして、その判定の結果を会員登録機３１に送信する（Ｓ２０６）。
【００５９】
すると、会員登録機３１では、判定の結果、登録済みであれば（Ｓ２０７ＹＥＳ）、その旨を会員登録機３１の表示部３１−１（図３参照）に表示し、現在挿入されている第三者カードのタバコカード（Ｂ）を返却する（Ｓ２２１）。他方、判定の結果、未登録である場合（Ｓ２０７ＮＯ）、会員登録機３１の表示部に、暗証番号の入力を促す旨の表示を行う。そして、この促しに対し遊技者により暗証番号［例えば、「ＡＡＡＡ」（図５参照）］が入力されると（Ｓ２０８）、その暗証番号情報を会員管理端末機２１に送信する（Ｓ２０９）。
【００６０】
会員管理端末機２１は、送信されてきた暗証番号情報を受信すると（Ｓ２１０）、上述のＳ２０４で受信した第三者カード情報（即ち、第三者カードＩＤ）を外部通信機能２１０を用いて第三者カード管理センターＢに送信する（Ｓ２１１）。
【００６１】
これに対し、第三者カード管理センターＢでは、通信回線網Ｃを介して送信されてきた第三者カード情報（第三者カードＩＤ）を受信すると（Ｓ２１２）、この受信した第三者カード情報（第三者カードＩＤ）に基づき特定される情報を検索する（Ｓ２１３）。具体的には、第三者カード管理センターＢでは、図９に示すような第三者カードＩＤと、氏名や住所等の保有者情報を対応付けた登録情報を有する登録テーブルを端末等にて記憶管理しておき、受信した第三者カードＩＤを用いてそのテーブル内を検索して該当する保有者情報を検出する。そして、検索の結果、検出した特定情報を該当する遊技店の会員管理端末木２１に対して送信する（Ｓ２１４）。例えば、会員管理端末機２１から送られてきた第三者カードＩＤが「１０００１」であれば、該第三者カードＩＤ「１０００１」を用いて対応する保有者情報として氏名：「遊技  ○男」および住所：「東京都中央区ＢＢＢ」を検出して該当する会員管理端末機２１に送信する。
【００６２】
すると、会員管理端末機２１では、通信回線網Ｃを介して送られてきた特定情報（保有者情報）を受信すると（Ｓ２１５）、まず、所定のルール（上述の図２で述べた方法と同様）に従って会員カードＩＤを算出して設定する（Ｓ２１６）。その後、この設定した会員カードＩＤに対応付けて会員登録機３１から受信した暗証番号及び第三者カードＩＤと、第三者カード管理センターＢから受信した氏名や住所等の保有者情報とを会員情報（上述図５参照）として登録する。例えば、具体的に会員登録機３１から送られてきた第三者カードＩＤに応じて会員カードＩＤ：「９０００１」を算出すると、この会員カード「９０００１」に対応付けて第三者カード管理センターＢから送られてきた保有者情報［氏名：「遊技  ○男」、住所：「東京都中央区ＢＢＢ」］と会員登録機３１から送られてきた第三者カードＩＤ「１０００１」及び暗証番号：「ＡＡＡＡ」を会員情報として登録する（図５参照）。そして、その登録が完了した後、会員管理端末機２１は、設定登録した会員カードＩＤ（例えば、「９０００１」）を会員登録完了通知と共に会員登録機３１に送信する（Ｓ２１８）。
【００６３】
これに対し、会員登録機３１は、会員登録完了通知と共に会員カードＩＤを受信すると（Ｓ２１９）、受信した会員カードＩＤを現在挿入して第三者カード情報を読み取った第三者カード（Ｂ）に記録する（Ｓ２２０）。会員カードＩＤを記録した後、会員登録機３１は、第三者カード（Ｂ）を遊技者に対して返却する。即ち、第三者カード兼用の会員カードを発行したことになる。尚、返却した第三者カード（Ｂ’）の構成を図１２に示す。この図１２に示すように、返却された第三者カード（Ｂ’）は、上述の図１０に示した第三者カード（Ｂ）のカード情報に会員カードＩＤが追加された構成となる。
【００６４】
これ以降、遊技者は、第三者カード（Ａ）をクレジットカード等の第三者カード機能として利用する以外に、遊技店Ａの会員登録管理システムで用いられる会員カードとして利用することが可能となる。即ち、具体的には、上述の図１に示した台間玉貸処理機１０２に会員登録済みの第三者カードを挿入し、貯玉や貯玉再プレイや各種会員特典サービス等の利用が行える。
【００６５】
尚、上記図９の実施例では、第三者カードが会員カードとして登録されているか否かの判定を会員管理端末機２１で行うように示しているが、これに限らず、会員登録機３１で行うようにしても良い。ただし、判定のみは会員登録機３１で行うが、会員情報の登録については上述の図２と同様に、会員管理端末機２１で行うものとする。
【００６６】
また、上記図９の実施例では、会員登録機３１にセットされた第三者カードが会員カードとして登録されているか否かを判定する方法として、セットされた第三者カードに遊技店の会員サービスで用いられる会員カードＩＤが登録されているか否かで登録の有無を判定する場合について説明したが、以下、その他の登録判定方法について図１３を用いて説明する。
【００６７】
図１３は、図９に示した登録処理の変形例として、第三者カードに会員カードＩＤを記録せずに、会員管理端末機２１で会員情報として登録される第三者カードＩＤの登録の有無によって当該第三者カードが会員カードとして登録されているか否かを判定する場合の会員登録処理構成を採ったシステムにおける会員登録処理手順を示すフローチャートである。
【００６８】
尚、以下の説明では、上述の図９に示した登録処理と異なる点についてのみ説明するものとする。また、この場合に用いられる第三者カードは上述の図１０と同じ構成であり、上述の図９の実施例では会員未登録時の構成と述べていたが、この図１０の実施例では、会員登録の有無にかかわらず図１０の構成をとる。
【００６９】
図１３において、このフローの登録処理を採るシステムでは、Ｓ２０３’において、既に会員登録が完了している第三者カード或いは未だ会員登録がされていない第三者カードのいずれの場合であっても第三者カード情報として同じ情報即ち第三者カードＩＤが会員管理端末機２１に送信される。
【００７０】
そして、会員管理端末機２１では、会員登録機３１から送信されてきたカード情報を受信すると（Ｓ２０４’）、該受信したカード情報に基づいて当該第三者カードが会員カードとして登録されているか否かを判定するが（Ｓ２０４’）、この図１３の処理では、上記受信した第三者カードＩＤが会員情報として登録されている場合に、当該第三者カード（Ａ）が会員カードとして既に登録されていると判定し、他方、該読み取ったカード情報に含まれる第三者カードＩＤが会員情報として登録されていない場合に、当該第三者カード（Ａ）が会員カードとして未だ登録されていないと判定する。
【００７１】
また、この図１３の処理では、Ｓ２１７’で上述の図９で示したＳ２１７と同様に会員情報を登録した後、会員カードＩＤを添付する事無く、会員登録完了通知のみを会員登録機３１に送信する（Ｓ２１８’）。
【００７２】
これに対し、会員登録機３１では、会員登録完了通知を受信すると（Ｓ２１９’）、上述の図２で示したＳ２２０の会員カードＩＤを第三者カードに記録する処理を行う事無く、そのまま現在挿入している第三者カード（Ａ）の返却を行う（Ｓ２２０’）。即ち、第三者カード兼用の会員カードが発行される。尚、この登録処理を採用するシステムでは、返却された第三者カードの構成は、情報の追加記録がされない為上述の図１０に示したものと同一の構成となる。
【００７３】
これ以降、遊技者は、第三者カード（Ａ）をクレジットカード機能として利用する以外に、遊技店Ａの会員登録管理システムで用いられる会員カードとして利用することが可能となる。即ち、具体的には、上述の図１に示した台間玉貸処理機１０２に会員登録済みの第三者カードを挿入し、貯玉や貯玉再プレイや各種会員特典サービス等の利用が行える。
【００７４】
次に、バッチ処理する場合について述べる。尚、ここで言う、（イ）バッチ処理とは、上述したリアル処理とは異なり、ある遊技者の１回の会員登録を行う都度に、会員管理端末機２１が第三者カード管理センターＢに対して第三者カードＩＤを送信するのではなく、予め定められた時刻或いは所定のタイミングにてそれまで保有者情報の登録を保留してある会員情報の第三者カードＩＤをまとめて送信するものである。即ち、第三者カードを会員カードとして登録して返却した後に、会員情報への登録を保留にしてある保有者情報を第三者カード管理センターＢから取得して更新登録を行うものである。
【００７５】
図１４は、（イ）バッチ処理による会員登録処理手順を示すフローチャートであり、この場合、特に、会員登録機３１と、会員管理端末機２１と、第三者カード管理センターＢとの間で行われる会員登録の処理手順を示している。尚、この場合、（Ｓ３０１）〜（Ｓ３１０）までの処理は、上述の図９に示す（Ｓ２０１）〜（Ｓ２１０）までの処理と同様であるので、（Ｓ３１１）以降から説明する。
【００７６】
そこで、図１４の（Ｓ３１０）で会員管理端末機２１が暗証番号情報を受信すると、会員管理端末機２１は、すぐさま第三者カード管理センターＢに第三者カードＩＤを送信するのではなく、受信した第三者カードＩＤ（例えば、「１０００１」）から所定のルール（上述の図２で説明した方法と同様）に従って会員カードＩＤを算出して設定する（Ｓ３１１）。そして、この設定した会員カードＩＤに対応付けて会員登録機３１から受信した暗証番号（例えば、「ＡＡＡＡ」）及び第三者カードＩＤ（例えば、「１０００１」）を会員情報として登録する（Ｓ３１２）。尚、この氏名及び住所等の保有者情報をまだ登録していない状態の会員情報の一構成例を図１５に示しておく。そして、その登録が完了した後、会員管理端末機２１は、設定登録した会員カードＩＤ（例えば、「９０００１」）と共に会員登録完了通知を会員登録機３１に送信する（Ｓ３１３）。
【００７７】
これに対し、会員登録機３１は、会員登録完了通知と共に会員カードＩＤを受信し（Ｓ３１４）、受信した会員カードＩＤを現在挿入して第三者カードを読み取った第三者カード（Ｂ）に記録する（Ｓ３１５）。そして、会員カードＩＤを記録した後、第三者カード（Ｂ）を遊技者に対して返却する（Ｓ３１６）。
【００７８】
尚、実際には、これ以降、遊技者は、第三者カード（Ａ）をクレジットカード等の第三者カード機能として利用する以外に、遊技店Ａの会員登録管理システムで用いられる会員カードとして利用することが可能となる。即ち、具体的には、上述の図１に示した台間玉貸処理機１０２に会員登録済みの第三者カードを挿入し、貯玉や貯玉再プレイや各種会員特典サービス等の利用を行うことが可能である。
【００７９】
また、一方、会員管理端末機２１は、予め定められた時刻或いは所定のタイミングにて外部通信機能２１０を用いてそれまで保有者情報の登録を保留していた会員情報の１又は複数の第三者カードＩＤを第三者カード管理センターＢに送信する（Ｓ３１７）。
【００８０】
これに対応して、第三者カード管理センターＢでは、通信回線網Ｃを介して送られてくる遊技店Ａの１又は複数の第三者カードＩＤを受信すると（Ｓ３１８）、それら受信した第三者カードＩＤに基づき該当する保有者情報を検索する（Ｓ３１９）。そして、検索の結果検出された１又は複数の保有者情報を該当する遊技店Ａの会員管理端末機２１に向けて送信する（Ｓ３２０）。
【００８１】
その後、会員管理端末機２１は、通信回線網Ｃを介して送られてきた１又は複数の保有者情報を受信し（Ｓ３２１）、この受信した保有者情報に基づきそれら保有者情報の登録を保留しておいた会員情報の更新登録を行う（Ｓ３２２）。
【００８２】
また、上述の図１４の場合では、当該第三者カードが会員カードとして登録されているか否かを当該第三者カードに会員カードＩＤが記録されているか否かで判定するようにした場合であるが、この変形例として、図１６に示すような、第三者カードに会員カードＩＤを記録せずに、会員管理端末機２１で会員情報として登録される第三者カードＩＤの登録の有無によって当該第三者カードが会員カードとして登録されているか否かを判定する場合の会員登録処理構成を採ったシステムにおける会員登録処理手順を採っても良いものとする。尚、この図１６については、上述の図９及び図１３及び図１４で示した登録処理により理解されるのでここでの説明は省略するものとする。
【００８３】
尚、上述の第三者カード管理センターと通信を行う実施例では、第三者カード管理センターＢは、遊技店Ａの会員管理端末機２１とのみ通信を行うように示しているが、実際には、その他多数の遊技店との間でも本発明の会員登録に係る通信を行う。また、会員管理端末機２１と第三者カードセンターＢとの間では、両端末を識別可能な固有のアドレス情報等を用いて通信を行う。
【００８４】
また、第三者カード（Ａ）或いは第三者カード（Ｂ）が遊技店Ａの会員カードとして登録されたことを遊技者等が目で確認できるように、登録が完了した第三者カードに遊技店等の名前が記録されたシールを添付するようにしても良い。この場合、会員登録機３１で登録完了後の第三者カードを返却する際に、該シールを会員登録機内で自動的に添付してから返却する。または、カード挿入口から返却された第三者カードに予め用意しているシールを店員が貼ってから遊技者に手渡す。更には、店員が遊技者に予め用意しているシールを渡して、遊技者自らがカード挿入口から返却された第三者カードに貼るようにしても良い。
【００８５】
また、上記実施例では第三者カードであるクレジットカードに遊技店特有の会員情報として会員カードＩＤのみを登録するようにしているが、これに限らず、その他の特有の会員情報を登録するようにしても良い。
【００８６】
また、上述のクレジットカード等の第三者カードは第三者カードＩＤを記憶できれば良く、カードの機能は問わない。
【００８７】
また、上記実施例では、第三者カードとして一般的に良く知られているクレジットカードを例にして説明したが、これ以外に、例えば、未成年者がタバコ自動販売機でタバコを購入して喫煙するのを防ぐ為のタバコ自動販売機システムで用いられる通称タバコカードと呼ばれるものを対象としても良い。このタバコカードは、成人であることが証明された喫煙希望者にのみ登録発行されるものであり、上記タバコ自動販売機システムの専用のタバコ自動販売機でタバコを購入する際に必須となるものである。
【００８８】
また、上記実施例では、第三者カードに記録されている保有者情報及び第三者カード管理センターに登録管理されている保有者情報として、第三者カードの登録者の氏名及び住所を示す情報であると述べているが、これに限らず、それら氏名及び住所情報以外に、登録者の性別（男ｏｒ女）等の情報が含まれている場合、会員管理端末機でその性別情報も会員情報として登録する構成にしても良いものとする。即ち、本発明は、第三者カードに対応付けて登録されている情報のうち会員管理端末機で登録管理する会員情報として流用できる第三者カードの情報であれば上記保有者情報以外のものも合わせて利用するようにしても良いものとする。
【００８９】
また、上記実施例で示した会員カードＩＤは、具体的には、地域番号＋店番号＋会員個人番号等から構成され、それら３つの組合せで会員を特定できるものである。例えば、地域番号が「ＡＡＡＡ」で、店番号が「ＢＢＢＢ」で、会員個人番号「ＣＣＣＣ」である場合、その会員カードＩＤは、「ＡＡＡＡ−ＢＢＢＢ−ＣＣＣＣ」となる。
【００９０】
また、会員管理端末機２１と会員登録機３１を一つの筐体内に収容し、一体化構成としても良い。
【００９１】
【発明の効果】
以上説明したように、本発明によれば、第三者が発行管理する第三者カードの少なくとも保有者情報を遊技店の会員カードの会員情報として流用して会員登録するようにしたため、パチンコ店或いはパチスロ店等の遊技店で提供している会員サービスを遊技者が受けるのに必要な会員登録作業を大幅に簡略化して、遊技店および遊技者側双方の負担を大幅に軽減することができる。
【図面の簡単な説明】
【図１】本発明に係る会員カード発行システムおよび会員カード発行方法を適用した遊技店Ａのシステム構成を示す図。
【図２】図１に示した遊技店Ａのシステム構成における会員登録処理手順を示すフローチャート。
【図３】図１に示した会員登録機の外観構成図。
【図４】図１のシステムで用いられる第三者カード（Ａ）の一構成例を示す図。
【図５】会員登録情報の一構成例を示す図。
【図６】会員登録した後の第三者カード（Ａ’）の一構成例を示す図。
【図７】図２に示した会員登録処理の変形例を示す図。
【図８】本発明に係る会員カード発行システムおよび会員カード発行方法を適用した遊技店Ａのシステム構成を示す図。
【図９】図８に示した遊技店Ａのシステム構成における会員登録処理手順を示すフローチャート。
【図１０】図８のシステムで用いられる第三者カード（Ｂ）の一構成例を示す図。
【図１１】保有者登録情報の一構成例を示す図。
【図１２】会員登録した後の第三者カード（Ｂ’）の一構成例を示す図。
【図１３】図９に示した会員登録処理の変形例を示す図。
【図１４】図９に示した会員登録処理の変形例を示す図。
【図１５】会員登録情報の一構成例を示す図。
【図１６】図９に示した会員登録処理の変形例を示す図。
【符号の説明】
Ａ…遊技店、１…遊技場、２…事務所（オフィス）、３…景品交換所、１０ａ〜１０ｎ…遊技島、１１…計数機、１２…プリペイドカード発行機、１００…遊技ユニット、１０１…遊技機、１０２…台間玉貸処理機、１０３…台ランプ部、１１０…島コントローラ、２０…管理コンピュータ（Ｔ／Ｃ）、２１…会員管理端末機、３０…景品管理端末機、３１…会員登録機、Ｂ…第三者カード管理センター、Ｃ…通信回線網
【図１】
2004248969.tif 000003
【図２】
2004248969.tif 000004
【図３】
2004248969.tif 000005
【図４】
2004248969.tif 000006
【図５】
2004248969.tif 000007
【図６】
2004248969.tif 000008
【図７】
2004248969.tif 000009
【図８】
2004248969.tif 000010
【図９】
2004248969.tif 000011
【図１０】
2004248969.tif 000012
【図１１】
2004248969.tif 000013
【図１２】
2004248969.tif 000014
【図１３】
2004248969.tif 000015
【図１４】
2004248969.tif 000016
【図１５】
2004248969.tif 000017
【図１６】
2004248969.tif 000018